(57)【要約】      （修正有）【課題】就寝状態での装着作業性を向上させ、装着感、褥瘡対策ならびに手入れ性を向上しつつ排尿等を胴囲及び股下から漏れないようにしたおむつカバーを提供する。【解決手段】カバー本体１は、股下部３、股下部３から装着時前方に延設された前身頃、股下部３から装着時後方に延設された後身頃よりなる展開式のカバーとなっている。吊持帯部材２はカバー本体１と同様の収縮性を有する撥水生地よりなるもので、任意のおむつパッドの装着者の排尿及び排便を受ける部分を押さえ込む幅で長さはカバー本体１の前身頃から後身頃までの長さよりも短くなっている。吊持帯部材２には図示されるように２か所のおむつ固定部９ａ、９ｂが設けられている。この吊持帯部材２は前身頃左右中心位置端部及び後身頃左右中心位置端部でそれぞれ固定帯８ａでカバー本体１に縫着固定されている。【選択図】図１
0003203176.tif 000002
【実用新案登録請求の範囲】
【請求項１】
繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなり股下部と、該股下部から延設され位置調整可能な左右脱着手段を有する後身頃と、前記股下部に延設され位置調整可能な位置調整手段を有する前身頃とよりなるカバー本体と、
該カバー本体の左右中央位置の前記後身頃及び前記前身頃の端部に固着され前記カバー本体と同素材よりなる吊持帯部材と、
該吊持帯部材に任意のおむつパッドを固着させる固着手段と、
少なくとも前記後身頃中央端部及び前記前身頃の他端部に設けられた胴囲収縮機構部とよりなり、
前記吊持帯部材は端部にて固着された前記カバー本体の長さよりも短いものであり、装着時に前記カバー本体内で任意のおむつパッドをおむつカバー本体よりも強く身体に押し付けるものであることを特徴とするおむつカバー。
【請求項２】
前記カバー本体の股下部左右端付近にそれぞれ開放端部が身体側に押し付けるように縫着された股下漏れ防止帯を具備するものであり、
前記カバー本体と前記股下漏れ防止帯縫着部は収縮性が高まるような股下収縮縫製部となっていることを特徴とする請求項１記載のおむつカバー。
【請求項３】
前記カバー本体の股下部左右端付近に股下収縮縫製部が設けられたことを特徴とする請求項１または２記載のおむつカバー。
【考案の詳細な説明】
【技術分野】
【０００１】  本考案は、繊維に撥水粒子を施した伸縮性のある通気性を有するとともに低摩擦力の撥水生地を利用した展開式カバー本体と任意のおむつパッドをより身体側に押し付ける同素材よりなる吊持帯部材を活用することで、就寝状態での装着作業性を向上させるとともに、装着感、褥瘡対策ならびに手入れ性を向上しつつ排尿等を胴囲及び股下から漏れないようにしたおむつカバーに関する。
【背景技術】
【０００２】  従来、おむつカバーとして尿が寝ているシーツや着用している衣服を汚さないように外装生地に防水性生地もしくは表面に防水加工を施した生地を用いるものであった。【０００３】  特許文献１に示すように、尿パッド等の着用者の股間へのフィット性を高めるために股下部に内設された紐状の弾性と、これを手で操作するための取っ手部材を設けたものがあった。【０００４】  特許文献２に示すように、外面を防水布と内面を吸水布で仕立てたオムツカバーの、全開状態にて後ろ見頃Ｂ胴回り部分と前見頃Ａ胴回り部分と左右の股刳り部分をそれぞれ伸縮性にし、後ろ見頃Ｂ胴回り部分の両端と左右の股刳り部分の両端と後ろ見頃Ｂ両脇の中間部のそれぞれに止め外せる部品を付け、パンツ状態にて後ろ見頃Ｂ胴回り線上と前身頃Ａ胴回り両端との接点左右それぞれに止め外せる部品を付け、外面の前身頃Ａ上下中心に縦のループを付け、内面の股当たりの部分をビニールで被ったものがあった。
【先行技術文献】
【特許文献】
【０００５】
【特許文献１】特開２０１３−２２０２２４号
【特許文献２】特開２０１１−１３９８７５号
【考案の概要】
【考案が解決しようとする課題】
【０００６】  防水性生地、防水加工生地を用いたものにあっては、通気性が欠如するために装着部位に湿気や熱がこもり肌を痛め、皮膚病の発生要因となり、傷、かぶれ褥瘡等を引き起こすことがあった。その回避のためにはこまめな着脱や手入れが必要となっていた。【０００７】  通気性を考慮したものであっても、複数層構造となっているために、カバー自体が肉厚となり、装着性ならびに装着時の外観を損なうものであった。
また、装着時の動きにより複数層間のずれが発生し、吸収パッドのずれをひきおこすことが多々あった。複数層間を前面で粘着などした場合はカバー全体がごわついたり硬くなり装着感の欠如、通気性の低下、吸水パッドの固定性の低下を引き起こす。
あわせて、再利用目的のものになっては、洗濯をした場合に乾燥性にかけるために乾燥時間に時間を費やすという問題あった。【０００８】  従来のおむつカバーにおいて、吸水パッドの押さえ込みはカバー本体に収納手段、止着手段を利用するものがあったが、複雑な構造となるため生産性の低下、コスト高になっていた。
簡易的なカバーシートを利用した場合には、カバー本体により押さえ込みが必要となるが、複雑な立体形状の吸水パッドを上面のみから押さえ込むため、ずれが発生する可能性が高かった。これを回避するために強い押さえ込みにおいては押さえ込みにより肌と吸水パッドの圧迫感ならびに摩擦力の向上による皮膚を傷つけるおそれがあった。
本考案は、これら各種課題を解決するものである。
【課題を解決するための手段】
【０００９】  繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなり股下部と該股下部から延設され位置調整可能な左右脱着手段を有する後身頃と、前記股下部に延設され位置調整可能な位置調整手段を有する前身頃とよりなるカバー本体と、
該カバー本体の左右中央位置に前記後身頃及び前記前身頃の端部に固着され前記カバー本体と同素材よりなる吊持帯部材と、
該吊持帯部材に任意のおむつパッドを固着させる固着手段と、
少なくとも前記後身頃中央端部及び前記前身頃の他端部に設けられた胴囲収縮機構部とより構成される。【００１０】    前記カバー本体の股下部左右端付近にそれぞれ開放端部が身体側に押し付けるように縫着された股下漏れ防止帯を具備するものであり、
前記カバー本体と前記股下漏れ防止帯縫着部は収縮性が高まるような股下縫製部となっていることを特徴とする。【００１１】  前記カバー本体の股下部左右端付近に股下収縮縫製部が設けられたことを特徴とする。
【考案の効果】
【００１２】  本考案において、両面が撥水機能を有するとともに通気性、縦横伸縮性を有する撥水生地単体でカバー本体、吊持帯部材を構成することで、極めて軽量となり装着者への不要な重量負担が解消される。
製造に関しても、撥水生地単層の基本部材となるため生産効率がよく、かつ低コスト化が実現した。あわせて、洗濯時には吸水性を有する生地が殆ど使用されていないため、洗濯後には手で持ち強く振ることで水分が殆ど飛び極めて短時間の干しですぐ利用することができる。【００１３】  カバー本体と吊持帯部材が低摩擦素材よりなることで、これらが皮膚と接触しても肌損傷を防止することができる。
この際、生地が通気性を保持することで蒸れにより菌の発生を抑止し、衛生的な使用を実現した。【００１４】  カバー本体縦方向長さより吊持帯部材の長さが短くこれを各上下辺で縫合されることにより装着時に吊持帯部材がおむつパッドをより強く押さえつけるため装着者の就寝時の寝返り等があっても吊持帯部材がそれに合わせて伸縮し抑え込むことでおむつパッドのずれ防止となる。
胴囲収縮機構部を設けることで装着時におけるカバー本体のずれ防止力が向上した。【００１６】  股下漏れ防止帯を設けることによりカバー本体の股下部と股下漏れ防止帯により漏れ防止効果を向上させた。【００１７】  カバー本体の股下部左右端付近に股下収縮縫製部を設けることにより、カバー本体による股下漏れ防止効果を向上させた。
【図面の簡単な説明】
【００１８】
【図１】  本考案の第一実施形態の展開状態第一説明図である
【図２】  本考案の第一実施形態の展開状態第二説明図である
【図３】  本考案の第一実施形態の略端面図である
【図４】  本考案の第一実施形態の正面図である
【図５】  本考案の第一実施形態の背面図である
【図６】  本考案の第一実施形態の第一説明図である
【図７】  本考案の第一実施形態の第二説明図である
【図８】  本考案の第一実施形態の第三説明図である
【図９】  本考案の第一実施形態の第四説明図である
【図１０】  本考案の第一実施形態の第五説明図である
【図１１】  本考案の第一実施形態の第六説明図である
【図１２】  本考案の第二実施形態の展開説明図である
【図１３】  本考案の第二実施形態の略左側面図である
【図１４】  本考案の第二実施形態の正面図である
【図１５】  本考案の第二実施形態の背面図である
【考案を実施するための形態】
【００１９】  本考案の撥水生地について説明する。
本考案の撥水生地は、生地を構成するポリエチレンやナイロン等の糸の繊維フィラメントの表面に炭化フッ素等のナノサイズ撥水粒子をコーティングして縦横の伸縮を実現するように編み込まれたものである。これにより、生地全面をコーティングしないため、優れた通気性を実現している。これら撥水機能は生地全面すなわち表裏両面に及ぶ。この際、撥水効果としては通常の水分の接触に関しては撥水し内部侵入ならびに反対面への浸透はないが、高圧で水分が逃げない方向への圧力に関して浸透するものである。
これら生地に関しては、より細い糸と編み密度を高めることで高撥水性ならびに軽量化並びに低摩擦力化を実現するものである。
本考案においては、尿や汗等の水分に対し就寝時や生活時においておむつカバーとしての利用に置いて適度な空間並びに撥水移動効果により浸透しない範囲の撥水生地が利用される。
【００２０】  以下、本考案第一実施形態について図１乃至図１１をもちいて説明する。
図１は本考案の第一実施形態の展開状態第一説明図、図２は本考案の第一実施形態の展開状態第二説明図、図３は本考案の第一実施形態の略端面図、図４は本考案の第一実施形態の正面図、図５は本考案の第一実施形態の背面図、図６は本考案の第一実施形態の第一説明図、図７は本考案の第一実施形態の第二説明図、図８は本考案の第一実施形態の第三説明図、図９は本考案の第一実施形態の第四説明図、図１０は本考案の第一実施形態の第五説明図、図１１は本考案の第一実施形態の第六説明図である。
本考案の基本部材は、前述した伸縮性を有する撥水生地よりなるカバー本体１と吊持帯部材２である。
カバー本体１は、股下部３、股下部３から装着時前方に延設された前身頃、股下部３から装着時後方に延設された後身頃よりなる展開式のカバーとなっている。
股下部３は股下中央が最も幅が狭く、そこから装着した際の脚付け根の湾曲形状に沿うように前方及び後方に向かうにつれて湾曲上に広がっている。
後身頃は股下部から湾曲上に広がり延設され、左後身頃５及び右後身頃４がそれぞれ左右に突出した形状となる。この際、左後身頃５及び右後身頃４は身体側面において脚付け根から腰までを覆う幅となっている。
前身頃は後身頃同様に股下部から湾曲上に広がり延設される。後身頃の左右端部は装着時前側から腰を若干回った長さ位置で切り欠かれた形状となっている。図においてカバー本体１の外周に沿って設けられた点線は縫合部であり、図示しないが外周辺は本形状となるように折り返され本縫合部で縫製されている。
カバー本体１の右後身頃４の装着時内側の先端部には図４に示すように外周辺がその輪郭形状に近似した面ファスナー１５が設けられている。
カバー本体１の装着時外側にあたる面の左後身頃５及び右後身頃４には図５に示すように股下部の略延長位置からそれぞれの先端部手前位置まで前記面ファスナー１５が着脱可能な起毛部１３ａ、１３ｂが設けられている。
前身頃の装着時内側に位置する側辺部にはそれぞれ複数の前部用面ファスナー１６が設けられている。ここにおいて前部用前ファスナー１６は前記起毛部１３ａ、１３ｂに着脱可能となるものである。
カバー本体１の股下部３の左右側辺部付近内側にはそれぞれ外辺略近似形状に湾曲し平行に設けられた股下収縮縫製部１４ａ、１４ｂとなっている。これはストレッチ性を有する糸でギャザー縫製されたものである。
次に吊持帯部材２について説明する。
吊持帯部材２はカバー本体１と同様の収縮性を有する撥水生地よりなるもので、任意のおむつパッドの装着者の排尿及び排便を受ける部分を押さえ込む幅で長さは図１に示すようにカバー本体１の前身頃から後身頃までの長さよりも短くなっている。吊持帯部材２には図示されるように２か所のおむつ固定部９ａ、９ｂが設けられている。これは任意のおむつパットを置いた際に使用によりおむつパッドがずれない粘着性を有するものであり、洗浄等により粘着性が維持できるものであることが望ましい。
この吊持帯部材２は図１及び図２に示すように前身頃左右中心位置端部及び後身頃左右中心位置端部でそれぞれ固定帯８ａ、８ｂでカバー本体１に縫着固定されている。
ここで縫着固定手段として、それぞれストレッチ性を有する糸で縫着されている。端辺部側は平行して第一収縮縫製部１１ａ、１１ｂよりなり、固定帯８の他辺部付近にも平行して第二収縮縫製部１２ａ、１２ｂが施されている。これによりカバー本体１の生地による収縮よりも収縮性の強い胴囲収縮機構部となっている。
第一収縮縫製部１１、第二収縮縫製部１２、股下収縮縫製部１４は前述したようにストレッチ性の糸を用い糸自体およびギャザー縫製による収縮性及び生地の収縮性を利用することで安定かつ必要な収縮度を実現する。その収縮度を更に高めたいときには必要箇所にゴム紐等を挟み縫合することで実現する。これらに関しては、必要性により選択されるものであり、本願においては可能な組み合わせ全般が適用される。
カバー本体１に吊持体２を固定帯８により縫合した際のが図３である。ここでは、カバー本体１と吊持帯部材２の長さ関係を理解してもらうために必要要素のみが図示されたものとなっている。すなわち、吊持帯部材２がカバー本体より短くなっているため吊持帯部材２がカバー本体１を引っ張っている状態が示されている。
本実施例の考案はこれにより構成される。
【００２１】  本考案の使用方法について図６乃至図１１をもちいて説明する。ここでは、装着者図示を省き、あくまでも装着者がいたうえでの本考案品の使用時形状の図示により説明する。
まず本考案おむつカバーを図６に示すように吊持帯部材２が上面となるように布団等に置き、任意のおむつパッド１７を吊持帯部材２に装着する次に図３に示すように左後身頃が装着者の腰から前部に至るように巻き付ける。更に右後身頃も反対側から折り返し巻き付け身体の形状にあわせて先端を左後身頃５に合わせる。この際、右後身頃先端の面ファスナー１５が左後身頃に設けられた起毛部１３ａと接触し着脱可能に固定される。この際、面ファスナー１５に対して起毛部１３ａの面積が非常に大きいため左右上下の位置調整が可能となっている。
次に図８に示すように前身頃を装着者の前に折り返し図９の状態とする。
更に図１０、図１１に示すように前身頃の左右端部を前から腰に巻き付け腰内路に回ったところで押さえつける。この際、前身頃左右辺に設けられた前部面ファスナー１６がそれぞれ起毛部１３ａ、１３ｂに接触し左右上下位置の調整可能に着脱可能に装着される。
【００２２】  装着においてカバー本体１の生地自体の特性から通気性が良く、肌への損傷を極力抑止する摩擦力がない押さえつけにより肌に優しく全体を押さえつける。
さらに吊持帯部材２がカバー本体内でおむつパッドに対して更に押さえつけるため排尿、排便をより確実に受け止めることができる。
また、固定帯８における胴囲収縮機構部により寝返りなどの動き時にカバー本体１のずれを抑止することができる。
あわせて、股下収縮縫製部により吊持帯部材２の左右方向へのずれを抑止するとともに、カバー本体１による股下部左右側辺の押さえつけとなる。
【００２３】  以下、本考案第二実施形態について図１２乃至図１５をもちいて説明する。
図１２は本考案の第二実施形態の展開説明図、図１３は本考案の第二実施形態の略左側面図、図１４は本考案の第二実施形態の正面図、図１５は本考案の第二実施形態の背面図である。
本実施例は、股下部３の尿漏れをより確実に防止するものである。
本実施例においては股下部左右に股下漏れ防止帯１８ａ、１８ｂを利用したものである。
図１２には、右側の股下漏れ防止帯１８ａは股下縫製部１９で縫製された状態で左側の股下漏れ防止帯１８ｂは縫製前の状態が示されている。図に示されたように、股下漏れ防止帯１８ａ、１８ｂは股下部３の形状に対し、内側である縫合辺部が長くなったものである。
これを縫製したものが図１３乃至図１５である。
図１３において吊持帯部材２がカバー本体１より短いためカバー本体１の上下端辺を引っ張りカバー本体１が湾曲した状態となっている。あわせて図示の股下漏れ防止帯１８ａは股下縫製部１９で縫合され股下縫製部１９の開放端が装着時内側に引っ張られている状態を示している。
この際、股下縫製部１９の開放端であり装着時には股下に位置する左右外辺は内側すなわち身体側に引っ張られるため万が一漏れてきた際の排尿を受け止めることができるようになっている。あわせて股下縫製部１９がストレッチ性を有する糸で縫製された際にはその股下縫製部１９が強く身体側に押さえつけるため更なる排尿抑止効果をもたらす。
本第二実施形態において股下縫製部１９が第一実施形態の股下収縮縫製部と同様の作用効果を補うことができる。加えて、図１５に示すように第一実施形態と同様に股下収縮縫製部１４を施すことでより排尿漏れを抑止することができる。
【００２４】
【符号の説明】
【００２５】  １  カバー本体、
２  吊持帯部材、
３  股下部、
４  右後身頃、
５  左後身頃、
６  右前身頃、
７  左前身頃、
８  固定帯、
９  おむつ固定部、
１０  左後身頃先端部、
１１  第一収縮縫製部、
１２  第二収縮縫製部、
１３  起毛部、
１４  股下収縮縫製部、
１５  面ファスナー、
１６  前部用面ファスナー、
１７  おむつパッド、
１８  股下漏れ防止帯、
１９  股下縫製部
【図１】
0003203176.tif 000003
【図２】
0003203176.tif 000004
【図３】
0003203176.tif 000005
【図４】
0003203176.tif 000006
【図５】
0003203176.tif 000007
【図６】
0003203176.tif 000008
【図７】
0003203176.tif 000009
【図８】
0003203176.tif 000010
【図９】
0003203176.tif 000011
【図１０】
0003203176.tif 000012
【図１１】
0003203176.tif 000013
【図１２】
0003203176.tif 000014
【図１３】
0003203176.tif 000015
【図１４】
0003203176.tif 000016
【図１５】
0003203176.tif 000017